(57)【要約】【課題】設置スペースを小さくすることができるうえに、研磨装置や揚送装置の移動を容易に行うことができるメダル研磨揚送装置を提供する。【解決手段】メダルを研磨する研磨装置２と、メダルを揚送する揚送装置４とを遊技機設置島の筐体１００内に配設し、該研磨装置２と揚送装置４とをそれぞれ独立して遊技機設置島の筐体１００内から出入自在とした。なお、研磨装置２にはキャスター２ａを設け、筐体１００には溝条部４０２を設けた底板４０１を配して、キャスター２ａを溝条部４０２に嵌め込んだ状態として、研磨装置２を揚送装置４の下部に出入自在に配設する。また、揚送装置４の底部にキャスターを設けるとともに、筐体１００にはこのキャスター誘導用の溝条部が形成された底板４０１を配する。【選択図】　　図８
2004081516.tif 000002
【特許請求の範囲】
【請求項１】
メダルを研磨する研磨装置と、メダルを揚送する揚送装置とを遊技機設置島の筐体内に配設し、該研磨装置と揚送装置とをそれぞれ独立して遊技機設置島の筐体内から出入自在に配設したことを特徴とするメダル研磨揚送装置。
【請求項２】
研磨装置の底部にキャスターを設けるとともに、筐体にはこのキャスター誘導用の溝条部が形成された底板を配して、この溝条部に前記キャスターが嵌め込まれている請求項１に記載のメダル研磨揚送装置。
【請求項３】
揚送装置の底部にキャスターを設けるとともに、筐体にはこのキャスター誘導用の溝条部が形成された底板を配して、この溝条部に前記キャスターが嵌め込まれている請求項１または２に記載のメダル研磨揚送装置。
【請求項４】
研磨装置は研磨されたメダルを送り出す排出口を備え、揚送装置はメダルを受け入れる受入れ口を備えており、前記排出口と受入れ口とが連通されて研磨装置から揚送装置にメダルを送り込み可能な状態として、研磨装置が揚送装置の下部に配設されている請求項１〜３の何れかに記載のメダル研磨揚送装置。
【発明の詳細な説明】
【０００１】
【発明の属する技術分野】
本発明は、投入されたメダルを研磨して遊技機設置島の上部に揚送するためのメダル研磨揚送装置に関するものである。
【０００２】
【従来の技術】
スロットマシンなどの遊技機が列設された遊技機設置島の端部には、遊技機から排出されて回収された使用済みのメダルを研磨するための研磨装置と、研磨済みのメダルを遊技機設置島上部に揚送するための揚送装置とが配設されている。従来研磨装置は揚送装置に隣接して並設されていたために、設置スペースを広く確保する必要があって、その分遊技ホールを狭いものとしていたうえに、レイアウトの自由度も低いものであった。また、研磨装置は揚送装置と一体に組立てられていたために分離して移動することができず、研磨装置や揚送装置のメンテナンスを行う場合にその作業を極めて困難なものとしていた。
【０００３】
【発明が解決しようとする課題】
本発明は上記した従来の問題点を解決し、設置スペースを小さくすることができるうえに、研磨装置や揚送装置の移動を容易に行うことができるメダル研磨揚送装置を提供するためになされたものである。
【０００４】
【課題を解決するための手段】上記の課題を解決するためになされた本発明のメダル研磨揚送装置は、メダルを研磨する研磨装置と、メダルを揚送する揚送装置とを遊技機設置島の筐体内に配設し、該研磨装置と揚送装置とをそれぞれ独立して遊技機設置島の筐体内から出入自在に配設したことを特徴とするものである。
【０００５】
なお、研磨装置の底部にキャスターを設けるとともに、筐体にはキャスター誘導用の溝条部が形成された底板を配して、この溝条部に前記キャスターが嵌め込まれているものとすることができる。また、揚送装置の底部にキャスターを設けるとともに、筐体にはこのキャスター誘導用の溝条部が形成された底板を配して、この溝条部に前記キャスターを嵌め込むことができる。また、研磨装置は研磨されたメダルを送り出す排出口を備え、揚送装置はメダルを受け入れる受入れ口を備えており、前記排出口と受入れ口とが連通されて研磨装置から揚送装置にメダルを送り込み可能な状態として、研磨装置を揚送装置の下部に配設するのが望ましい。
【０００６】
本発明のメダル研磨揚送装置は、メダルを研磨する研磨装置と、メダルを揚送する揚送装置とを遊技機設置島の筐体内に配設し、該研磨装置と揚送装置とをそれぞれ独立して遊技機設置島の筐体内から出入自在に配設したので、研磨装置や揚送装置を別個に筐体から引き出すことにより、研磨装置や揚送装置のメンテナンスを極めて容易に行うことができる。
【０００７】
【発明の実施の形態】
以下に図面を参照しつつ本発明の好ましい実施形態を説明する。
［遊技機設置島の構成］
図１は本発明のメダル研磨揚送装置が配設された遊技機設置島の概略図であって、１１はスロットマシンなどの遊技機であり、遊技機１１の下部にはメダル排出口１２が設けられていて、使用済みのメダルはこのメダル排出口１２から樋１３内に落下する。樋１３にはメダル回収車１４が配設されていて、このメダル回収車１４にはメダルを一方向に押して回収するための回動片１４ａが垂設されていて、樋１３内に落下して堆積したメダルを遊技機設置島の一側にまで押出して回収する。回収されたメダルは回収コンベア１５により研磨装置２に投入されて研磨された後、揚送装置４により遊技機設置島上部まで揚送される。遊技機設置島上部には補給用コンベア１６とレール１７上を左右に走行するメダル補給車１８が配設されていて、このメダル補給車１８は補給用コンベア１６から供給されたメダルを、メダルの不足した遊技機１１にまで運搬して補給パイプ１９からメダルを補給する。以上のようにしてメダルは遊技機設置島内を循環する。１００は遊技機設置島の筐体であり、以下に説明するようにこの筐体１００の内部には、メダルを研磨する研磨装置２とメダルを揚送する揚送装置４とが配設されている。
【０００８】
［メダル研磨揚送装置の構成］
メダル研磨揚送装置の概略構成を図２に示すが、このメダル研磨揚送装置は遊技機設置島の一端に設けた筐体１００内に配設されていて、遊技機設置島側の回収コンベア１５から通路１５ａを介して投入されたメダルを研磨する研磨装置２と、研磨装置２が下部に配設された揚送装置４とからなる。研磨されたメダルは揚送装置４のリフト４２により上方に揚送される。なお、揚送装置４には、上部にメダル計数部６１と下部にメダル払出し部６２を備えた計数装置６が並設されているが、この計数装置６は係止用フック７２とキャスター７６を有し、揚送装置４の側面に設けた係止穴５５に前記フック７２が掛着されて、研磨装置２から分離移動自在に配設されている。計数装置６はコンベア６８からメダルを研磨装置２に送り出すが、この計数装置６は研磨装置２から切り離して単独で用いることができるものである。
【０００９】
［研磨装置の構成］
研磨装置２の詳細を図３〜７に示す。研磨装置２には、支持板２０に取付けられたメダル搬送装置３０と、支持板２７に取付けられた一組の研磨布送り装置２６が備えられている。
メダル搬送装置３０は、支持板２０取付けられたモーター２１と、このモーター２１によって駆動される駆動プーリ２２と、この駆動プーリ２２に連動する３本の従動プーリ２２ａとが間隔をおいて四角形に配置されている。これらのプーリ２２、２２ａを周回して一対の無端の歯付ベルト２３が装着されている。なお、図５に示すように、上記したプーリ２２、２２ａには歯２２１が形成されており、又、歯付ベルト２３の裏側全周にはこの歯２２１に食い込むように凹凸２３１が形成されているので、歯付ベルト２３に多少の負荷がかかったときにも歯付ベルト２３を確実に回動させることができる。
【００１０】
そして、図６に示すように、左右に一対の歯付ベルト２３には、略コの字形でメダルの厚みより薄いメダル保持用の薄板２４が、一定間隔をおいて梯子段状に配置されてメダル搬送用ベルト３０ａを構成している。この薄板４は前記歯付ベルト２３にその両端がネジ留めされて固定されており、前後の薄板２４との間に開口したメダル研磨用の受け部２５を形成している。受け部２５は、進行方向には一枚のメダルが入ることのできる寸法であるが、進行方向に対して横方向には複数枚のメダルが入ることのできる幅に形成してあって、複数枚のメダルを横一列に保持して効率的に研磨することができる。このメダル搬送装置３０には研磨済みのメダルを揚送装置４に送り出すための排出口３０１が設けてある。この排出口３０１は後述するリフト４２の受入れ口４１に連通されているので、メダルをリフト４２に送り出すことができる。なお、薄板２４はコの字型の開放部を、図６のように進行方向に向けてもよいし、図７のように進行方向と逆向きとしても何ら差し支えはない。
【００１１】
そして、図３、４に示したように、メダル搬送用ベルト３０ａの上下には、一組の研磨布送り装置２６が配設されているが、この研磨布送り装置２６は、支持板２７に駆動巻取り軸２８と従動払出し軸２８ａとが設けられていて、この巻取り軸２８と払出し軸２８ａにロール状の研磨布２９が装着されている。研磨布２９は梯子段状に連設された薄板２４を上下から挟むように張設されており、また、研磨布２９は、研磨布２９を押圧するための抑え板３１と、両端にガイド用ローラ３２とを有する押圧部材３３により支持されて、受け部２５にある移動中のメダルを挟みつけて押圧、研磨する。なお、抑え板３１の裏側にはヒーター３１１が配してあるので研磨布２９を適温に加熱することができる、また、両端のガイド用ローラ３２の近傍には研磨布２９が汚染した時に研磨布２９を定量送り出して研磨面をずらす際に送り量を測定するためのピッチローラ３４とガイドローラー３４ａが配設されている。また、巻取り軸２８の近傍には巻取り時に研磨布２９を整然と巻くための抑えローラ３５が配設されている。
【００１２】
計数装置６あるいは回収コンベア１５から送り込まれたメダルは、研磨装置２の端部に設けられたメダル受け器３６に投入される。メダル受け器３６にはメダル搬送用ベルト３０ａに向けて低く傾斜した底面３６１が形成してあるので、メダル受け器３６に投入されたメダルは、メダル搬送用ベルト３０ａの受け部２５に送入される。なお、受け部２５に送り込まれたメダルは、張設された研磨布２９の入り口まで支持板３７上を移動する。メダルがメダル受け器３６から排出されてメダル搬送用ベルト３０ａに落下する位置の上方には振り子状にスイングするメダル均し部材３８と、このメダル均し部材３８と若干進行方向に距離を置いて回転ブラシ状のメダル均し部材３８ａとが配設されている。したがって、受け部２５に送入されたメダルは多重に重なることなく一重の状態に均されて搬送されて、上下に対向して張設された研磨布２９の間を通過するので、メダルの表裏面を同時に研磨することができる。なお、研磨布送り装置２６のメダル入り側には、研磨液の含浸部３９が上下に対向して設けられていて研磨布２９に研磨液を供給するのでメダルの研磨をより効率的に行うことができる。
【００１３】
［研磨装置の移動機構］
研磨装置２の底部には研磨装置２の移動を容易にするためのボール状のキャスター２ａが設けてある。そのキャスター２ａは、図８、９に示す揚送装置４の最下部に配した底板４０１上に配されているが、底板４０１には平行に２本の溝条部４０２が設けてあって、この溝条部４０２にキャスター２ａが嵌め込まれているので、研磨装置２を揚送装置４の外部に容易に移動することができる。なお、既記したように、メダル搬送装置３０に設けたメダルの排出口３０１と、リフト４２の下部に設けた受入れ口４１とが連通されて、研磨装置２が揚送装置４の下部に配設されている。
【００１４】
［揚送装置の構成］
図８、９に示す揚送装置４において、研磨装置２にて研磨されたメダルは、揚送装置４の下部に設けた受入れ口４１からリフト４２に送り込まれて遊技機設置島の上部に揚送される。揚送装置４のリフト４２は図１０に示すような構造であって、多数のメダル保持部４３が歯付ベルト４４に多数連設されている。このメダル保持部４３の一端には開口部４５が形成され底面４６をこの開口部４５に向けて低く傾斜させてあるので、メダル保持部４３に投入されて揚送されたメダルは開口部４５から排出されて上部出口４７、補給コンベア１６を経由してメダル補給車１８に送出される。
【００１５】
なお、メダル補給車１８がメダル補給のために待機位置にある時には補給コンベア１６からメダル補給車１８にメダルが補給されるが、メダル補給車１８が走行中で待機位置にいないときには、補給コンベア１６は逆回転されて揚送されたメダルは中間タンク４８に投入される。中間タンク４８に投入されたメダルは、その下部に設けた排出路４９から排出されて中間投入口５０からリフト４２に送出されて再び揚送される。したがって、メダル補給車１８が待機位置にいない時にも揚送装置４のリフト４２は停止されることなくメダルを揚送することができる。また、中間タンク４８から大量のメダルを補充することができるので、メダル補給車１８へのメダルの搭載を迅速に行うことができる。
【００１６】
揚送装置４のリフト４２の底部には、キャスター４２ａが取り付けてあって、また、底板４０１にはこのキャスター４２ａを誘導用の溝条部（図示していない）が２本平行に形成してある。この溝条部は既記した研磨装置２誘導用の溝条部４０２と直交する方向に形成してある。したがって、研磨装置２と揚送装置４とを、それぞれ独立して筐体１００内から引き出すことができるので、研磨装置２や揚送装置４のメンテナンスを極めて容易に行うことができる。
【００１７】
【発明の効果】
以上に説明したように、本発明のメダル研磨揚送装置は、メダルを研磨する研磨装置と、メダルを揚送する揚送装置とを遊技機設置島の筐体内に配設し、該研磨装置と揚送装置とをそれぞれ独立して遊技機設置島の筐体内から出入自在に配設したので、メンテナンスの際に研磨装置や揚送装置を別個に筐体から引き出すことができる。したがって、本発明の研磨揚送装置は、遊技機設置島のレイアウトの自由度を増大することができるうえに、研磨装置や揚送装置のメンテナンスを極めて容易に行うことができるという大きな利点を有する。
【図面の簡単な説明】
【図１】遊技機設置島の概略構成を示す正面図である。
【図２】本発明のメダル研磨揚送装置の正面図である。
【図３】研磨装置の主要部の正面図である。
【図４】研磨装置の主要部の拡大図である。
【図５】プーリと歯付ベルトの詳細図である。
【図６】メダル搬送装置の平面図である。
【図７】メダル搬送用ベルトの平面図である。
【図８】メダル研磨揚送装置の正面図である。
【図９】メダル研磨揚送装置の側面図である。
【図１０】リフトの斜視図である。
【符号の説明】
２　　研磨装置
２ａ　キャスター
４　揚送装置
４０１　底板
４０２　溝条部
１００　筐体
【図１】
2004081516.tif 000003
【図２】
2004081516.tif 000004
【図３】
2004081516.tif 000005
【図４】
2004081516.tif 000006
【図５】
2004081516.tif 000007
【図６】
2004081516.tif 000008
【図７】
2004081516.tif 000009
【図８】
2004081516.tif 000010
【図９】
2004081516.tif 000011
【図１０】
2004081516.tif 000012